(57)【特許請求の範囲】
【請求項１】
毛髪を挟む一対の挟み部材と、
前記挟み部材の何れか一方に設けられ、超音波振動を発生させる振動子を有する振動部と、
前記挟み部材の何れか他方に前記振動部と対向するように設けられ、前記振動部との間に前記毛髪を挟む受け部と、を備え、
前記振動部及び前記受け部の前記毛髪の長さ方向側には、互いに対向する振動部側押さえ部と受け部側押さえ部とが設けられたヘアセット装置であって、
前記受け部の弾性係数と、前記受け部側押さえ部の弾性係数とが同一であることを特徴とするヘアセット装置。
【請求項２】
前記受け部と前記受け部側押さえ部とは、同一材料からなるとともに、同一の厚みを有するように構成されたことを特徴とする請求項１に記載のヘアセット装置。
【請求項３】
前記受け部側押さえ部と前記振動部側押さえ部との各対向面の前記毛髪に対する摩擦係数が同一であることを特徴とする請求項１又は２に記載のヘアセット装置。
【請求項４】
前記振動部側押さえ部及び前記受け部側押さえ部の何れか一方における前記毛髪の幅方向両側には、前記毛髪の挟み方向に突出した第１ガイド部が設けられたことを特徴とする請求項１〜３のうちの何れか一項に記載のヘアセット装置。
【請求項５】
前記第１ガイド部は、前記振動部側での間隔が前記挟み部材における前記毛髪の長さ方向端部側での間隔よりも狭くなるように配置されたことを特徴とする請求項４に記載のヘアセット装置。
【請求項６】
前記挟み部材には、前記振動部側押さえ部及び前記受け部側押さえ部の何れか一方の前記毛髪の長さ方向外側に、前記毛髪の挟み方向に突出するコーム部が前記毛髪の幅方向に配列され、
前記へアセット装置の移動方向側に設けられた前記コーム部の前記毛髪の長さ方向外側には、前記毛髪の幅方向に間隔を空けて配置される第２ガイド部が前記毛髪の挟み方向に突出して設けられたことを特徴とする請求項１〜５のうちの何れか一項に記載のヘアセット装置。
【請求項７】
前記振動部の弾性係数と、前記振動部側押さえ部の弾性係数とが同一であることを特徴とする請求項１〜６のうちの何れか一項に記載のヘアセット装置。
【発明の詳細な説明】
【技術分野】
【０００１】
本発明は、毛髪に超音波振動を伝達することで、毛髪をストレートにする等の処理を施すヘアセット装置に関する。
【背景技術】
【０００２】
従来、毛髪を挟む一対の挟み部材と、挟み部材の何れか一方に設けられ超音波振動を発生させる振動子を有する振動部と、挟み部材の何れか他方に振動部と対向するように設けられる受け部と備え、振動部と受け部との間に毛髪を挟んで超音波振動を伝達し、毛髪をストレートにする等の処理を施すヘアセット装置がある。例えば、特許文献１に記載のヘアセット装置では、挟み部材における振動部及び受け部の毛髪の長さ方向側に、互いに対向する振動部側押さえ部と受け部側押さえ部を設け、毛髪の横広がりを防止したヘアセット装置が開示されている。
【特許文献１】特開２００６−３３４１０９（段落［００２５］〜［００２７］，第７図）
【発明の開示】
【発明が解決しようとする課題】
【０００３】
ところで、一般に、受け部における毛髪と接触する接触部は発泡性材料（例えば、発泡ウレタン等）により構成されているため、外力により変形し易い。従って、毛髪を挟むことで受け部が大きく変形するため、受け部と該受け部側の押さえ部との間に、毛髪の挟み方向に段差が生じてしまい、毛髪が所望の形状と異なる形状にセットされてしまう虞があった。
【０００４】
本発明は、上記課題を解決するためになされたものであって、その目的は、毛髪が所望の形状と異なる形状にセットされることを低減できるヘアセット装置を提供することにある。
【課題を解決するための手段】
【０００５】
上記課題を解決するために、請求項１に記載の発明は、毛髪を挟む一対の挟み部材と、前記挟み部材の何れか一方に設けられ、超音波振動を発生させる振動子を有する振動部と、前記挟み部材の何れか他方に前記振動部と対向するように設けられ、前記振動部との間に前記毛髪を挟む受け部とを備え、前記振動部及び前記受け部の前記毛髪の長さ方向側には、互いに対向する振動部側押さえ部と受け部側押さえ部とが設けられたヘアセット装置であって、前記受け部の弾性係数と、前記受け部側押さえ部の弾性係数とが同一であることを要旨とする。
【０００６】
上記構成によれば、受け部の弾性係数と受け部側押さえ部の弾性係数とが同一であるため、振動部と受け部との間に毛髪を挟んだ場合に、受け部の変形量（圧縮量）と受け部側押さえ部の変形量との差が発生し難くなる。従って、受け部と受け部側押さえ部との間での毛髪の挟み方向の段差を小さくすることが可能になり、毛髪が所望の形状と異なる形状にセットされることを低減できる。
【０００７】
請求項２に記載の発明は、請求項１に記載のヘアセット装置において、前記受け部と前記受け部側押さえ部とは、同一材料からなるとともに、同一の厚みを有するように構成されたことを要旨とする。
【０００８】
上記構成によれば、受け部と受け部側押さえ部とは、同一材料からなるとともに同一の厚みに構成されるため、それぞれの経年変化（例えば、使用による摩耗など）の違いによって、受け部と受け部側押さえ部との間に毛髪の挟み方向の段差が生じることを防止できる。これにより、長期に亘って毛髪が所望の形状と異なる形状にセットされることを防止できる。
【０００９】
請求項３に記載の発明は、請求項１又は２に記載のヘアセット装置において、前記受け部側押さえ部と前記振動部側押さえ部との各対向面の前記毛髪に対する摩擦係数が同一であることを要旨とする。
【００１０】
振動部側押さえ部及び受け部側押さえ部を設けることで、毛髪はこれら押さえ部の各対向面から摩擦を受ける。このとき、毛髪は、それぞれの対向面から受ける摩擦力が異なると、ヘアセット後に強い摩擦力を受けた側にカールしまう虞がある。この点、上記構成によれば、振動部側押さえ部及び受け部側押さえ部の各対向面での摩擦係数が同じであるため、毛髪が各対向面から受ける摩擦力を等しくすることができ、ヘアセット後に毛髪がカールすることを防止できる。
【００１１】
請求項４に記載の発明は、請求項１〜３のうちの何れか一項に記載のヘアセット装置において、前記振動部側押さえ部及び前記受け部側押さえ部の何れか一方における前記毛髪の幅方向両側には、前記毛髪の挟み方向に突出した第１ガイド部が設けられたことを要旨とする。
【００１２】
上記構成によれば、第１ガイド部によって、受け部側押さえ部及び振動部側押さえ部との間に挟まれた毛髪が、その幅方向外側にはみ出ることが防止されるため、振動部（受け部）への確実な毛髪導入が可能になり、処理が施されない毛髪を低減することができる。
【００１３】
請求項５に記載の発明は、請求項４に記載のヘアセット装置において、前記第１ガイド部は、前記振動部側での間隔が前記挟み部材における前記毛髪の長さ方向端部側での間隔よりも狭くなるように配置されたことを要旨とする。
【００１４】
上記構成によれば、毛髪は、第１ガイド部によって毛髪の幅方向内側の力が作用した状態で振動部（受け部）に導入されるため、振動部で超音波振動を受ける毛髪がその幅方向外側に広がることを防止できる。
【００１５】
請求項６に記載の発明は、請求項１〜５のうちの何れか一項に記載のヘアセット装置において、前記挟み部材には、前記振動部側押さえ部及び前記受け部側押さえ部の何れか一方の前記毛髪の長さ方向外側に、前記毛髪の挟み方向に突出するコーム部が前記毛髪の幅方向に配列され、前記へアセット装置の移動方向側に設けられた前記コーム部の前記毛髪の長さ方向外側には、前記毛髪の幅方向に間隔を空けて配置される第２ガイド部が前記毛髪の挟み方向に突出して設けられたことを要旨とする。
【００１６】
上記構成によれば、毛髪が第２ガイド部によってコーム部に案内されるため、確実にコーム部にて毛髪が梳かれる。そして、コーム部から振動部に導入されることで、毛髪の処理ムラをなくすことができる。
【００１７】
請求項７に記載の発明は、請求項１〜６のうちの何れか一項に記載のヘアセット装置において、前記振動部の弾性係数と、前記振動部側押さえ部の弾性係数とが同一であることを要旨とする。
【００１８】
上記構成によれば、振動部の弾性係数と振動部側押さえ部の弾性係数とが同一であるため、振動部と受け部との間に毛髪を挟んだ場合に、受け部の変形量と受け部側押さえ部の変形量との差がさらに発生し難くなる。そのため、受け部と受け部側押さえ部との間での毛髪の挟み方向の段差をなくすことが可能になり、毛髪が所望の形状と異なる形状にセットさせることをより低減できる。
【発明の効果】
【００１９】
本発明によれば、毛髪が所望の形状と異なる形状にセットさせることを低減可能なヘアセット装置を提供することができる。
【発明を実施するための最良の形態】
【００２０】
以下、本発明を具体化した一実施形態を図面に従って説明する。
図１に示すように、ヘアセット装置１の一対の挟み部材２，３は、略直方体形状に形成されるとともに、長手方向の基端側（図１における左側）がヒンジ部４により連結されることで、先端側（図１における右側）が開閉自在とされている。一方の挟み部材２（図１における上側）の先端部には、振動部５が設けられるとともに、他方の挟み部材３（図１における下側）の振動部５と対向する部分には、受け部６が設けられている。挟み部材２，３が閉じられた状態で、振動部５と受け部６とは略重ね合わせられ、これら振動部５と受け部６との間に毛髪Ｈ（図４参照）が挟まれるようになっている。なお、図１において振動部５と受け部６とで挟まれる毛髪の長さ方向は、紙面に対して垂直な方向である。
【００２１】
図１及び図２に示すように、振動部５は、超音波振動を発生する振動子７と、振動子７の振動を増幅して毛髪Ｈに伝達するホーン部８と備えている。図２に示すように、挟み部材２には、ホーン部８（振動部５）の毛髪の長さ方向（図２における左右方向）両側に、それぞれ振動部側押さえ部９が設けられている。また、挟み部材２には、各振動部側押さえ部９における毛髪の長さ方向外側（挟み部材２における毛髪の長さ方向両端部）に、毛髪の挟み方向（図２における紙面直交方向）に突出するコーム部１１が形成されている。なお、コーム部１１は、振動部５と受け部６とに挟まれた毛髪Ｈの束が広がる方向（以下毛髪の幅方向という、図２における上下方向）に配列されている。
【００２２】
図３に示すように、挟み部材３には、受け部６の毛髪の長さ方向（図３における左右方向）両側に、各振動部側押さえ部９と対向し、その間で毛髪Ｈを押さえる受け部側押さえ部１２がそれぞれ設けられている。本実施形態では、受け部６及び各受け部側押さえ部１２は、挟み部材３の挟み部材２との対向面よりも突出して設けられている。ヘアセット装置１は、これら振動部側押さえ部９と受け部側押さえ部１２とによって、毛髪Ｈを押さえることで毛髪Ｈの横広がりを防止するようになっている。
【００２３】
なお、図１に示すように、振動子７は、図示しない電源部に電力が供給されることで超音波振動が発生するようになっている。振動子７は、挟み部材２に内蔵された駆動回路１３を介して制御回路１４に接続され、その作動が制御されるようになっている。本実施形態では、制御回路１４は、駆動回路１３を制御することで、振動子７に周波数３０ｋＨｚ〜２ＭＨｚ、電力密度０．１〜５．０Ｗ／ｃｍ２の条件で超音波振動を発生させる。
【００２４】
そして、図４に示すように、ヘアセット装置１は、振動部５と受け部６とで毛髪Ｈを挟み込んで、毛髪Ｈに超音波振動を与えることで、毛髪Ｈに処理を行う。本実施形態では、ヘアセット装置１は振動部５と受け部６とで挟んだ毛髪Ｈをストレートにする処理を行う。ユーザは、振動部５と受け部６とで毛髪Ｈを挟んで、ヘアセット装置１を毛髪Ｈの根元側から先端側に向けて移動させることで、毛髪Ｈ全体に処理を施すことができる。なお、白抜き矢印は、ヘアセット装置１の移動方向を示す。
【００２５】
次に、毛髪Ｈを所望の形状にセットするための構成について説明する。
受け部６の毛髪の挟み方向（図４における上下方向）の弾性係数と、各受け部側押さえ部１２の挟み方向の弾性係数とが略同一となるように受け部６及び各受け部側押さえ部１２が構成されている。本実施形態では、各受け部側押さえ部１２は、受け部６と同一材料からなるとともに、受け部６と略同一の厚み（毛髪の挟み方向長さ）を有している。詳しくは、図５に示すように、受け部６は、挟み部材３に固定された支持部材２１の上端に毛髪Ｈと接触する接触部２２が固定されて構成されている。また、受け部側押さえ部１２は、挟み部材３に固定された支持部材２３の上端に毛髪Ｈと接触する接触部２４が固定されて構成されている。なお、各支持部材２１，２３は、単一の金属材料や樹脂材料、又は複数の金属材料や樹脂材料等により構成され、支持部材２１と支持部材２３とは同一の材料により構成されている。また、各接触部２２，２４は、発泡性材料（例えば、発泡ウレタン）により構成され、接触部２２と接触部２４とは同一の材料により構成されている。そして、支持部材２１の厚みｔ１と支持部材２３の厚みｔ２が同一であるとともに、接触部２２の厚みｔ３と接触部２４の厚みｔ４とが同一に構成されている。
【００２６】
また、図４に示すように、振動部側押さえ部９と受け部側押さえ部１２との各対向面２５，２６の毛髪Ｈに対する摩擦係数が略同一となるように形成されている。具体的には、振動部側押さえ部９は、挟み部材２に固定された支持部材２７の下端に毛髪Ｈと接触する接触部２８が固定されて構成されている。接触部２８は、発泡性材料（受け部側押さえ部１２と同じ、発泡ウレタン）により構成されている。そして、各対向面２５，２６は、その表面性状（表面粗さ等）が同一となるように加工されて、毛髪Ｈに対する摩擦係数が同一となっている。
【００２７】
さらに、図２に示すように、挟み部材２には、各振動部側押さえ部９の幅方向両側に、挟み方向に突出した第１ガイド部３１がそれぞれ形成されている。各第１ガイド部３１は、直方体状に形成されるとともに、振動部側押さえ部９よりも挟み部材２から突出して形成されている。本実施形態では、ホーン部８の両側に設けられた第１ガイド部３１は、それぞれホーン部８（振動部５）側での間隔が挟み部材２における毛髪の長さ方向端部側での間隔よりも狭くなるように配置されている。そして、図３に示すように、挟み部材３には、第１ガイド部３１と対向する位置に、毛髪の挟み方向から見た形状が第１ガイド部３１と略同一形状の第１ガイド溝３２が凹設されており、挟み部材２，３が閉じられると、第１ガイド部３１が第１ガイド溝３２に嵌合するようになっている。
【００２８】
以上記述したように、本実施形態によれば、以下の作用・効果を奏する。
（１）ヘアセット装置１は、毛髪Ｈを挟む一対の挟み部材２，３と、挟み部材２に設けられ超音波振動を発生させる振動子７を有する振動部５と、挟み部材３に振動部５と対向するように設けられ振動部５との間に毛髪Ｈを挟む受け部６とを備えた。また、挟み部材２，３における振動部５及び受け部６の毛髪の長さ方向側に、互いに対向する振動部側押さえ部９と受け部側押さえ部１２とを設けた。そして、受け部６の毛髪の挟み方向の弾性係数と、受け部側押さえ部１２の毛髪の挟み方向の弾性係数とが同一になるように構成した。そのため、振動部５と受け部６との間に毛髪Ｈを挟んだ場合に、受け部６の変形量（圧縮量）と受け部側押さえ部１２の変形量との差が発生し難くなる。従って、受け部６と受け部側押さえ部１２との間での毛髪の挟み方向の段差を小さくすることが可能になり、毛髪Ｈが所望の形状と異なる形状にセットされることを低減できる。
【００２９】
（２）受け部６と受け部側押さえ部１２とは、同一材料からなるとともに、同一の厚みを有するように構成した。即ち、支持部材２１と支持部材２３とを同一の材料により構成するとともに、接触部２２と接触部２４とを同一の材料により構成した。また、支持部材２１の厚みｔ１と支持部材２３の厚みｔ２を同一にするとともに、接触部２２の厚みｔ３と接触部２４の厚みｔ４とを同一に構成した。そのため、受け部６及び各受け部側押さえ部１２の経年変化（例えば、使用による摩耗など）の違いによって、受け部６と受け部側押さえ部１２との間に毛髪の挟み方向の段差が生じることを防止できる。これにより、長期に亘って毛髪Ｈが所望の形状と異なる形状にセットさせることを防止できる。
【００３０】
（３）ヘアセット装置１に振動部側押さえ部９及び受け部側押さえ部１２を設けることで、毛髪Ｈはこれら押さえ部９，１２の各対向面２５，２６から摩擦を受ける。このとき、毛髪Ｈは、それぞれの対向面から受ける摩擦力が異なると、ヘアセット後に強い摩擦力を受けた側にカールしまう虞がある。この点、本実施形態によれば、振動部側押さえ部９と受け部側押さえ部１２との各対向面２５，２６の毛髪Ｈに対する摩擦係数が同一となるように構成したため、毛髪Ｈが各対向面２５，２６から受ける摩擦力を等しくすることができ、ヘアセット後に毛髪Ｈがカールすることを防止できる。
【００３１】
（４）振動部側押さえ部９における毛髪の幅方向両側に、毛髪の挟み方向に突出した第１ガイド部３１を設けた。このため、第１ガイド部３１によって、振動部側押さえ部９及び受け部側押さえ部１２との間に挟まれた毛髪Ｈが、その幅方向外側にはみ出ることが防止されるため、振動部５（受け部６）への確実な毛髪導入が可能になり、処理が施されない毛髪Ｈを低減することができる。
【００３２】
（５）第１ガイド部３１を、ホーン部８（振動部５）側での間隔が挟み部材２における毛髪の長さ方向端部側での間隔よりも狭くなるように配置した。そのため、毛髪Ｈは、第１ガイド部３１によって毛髪の幅方向内側の力が作用した状態で振動部５（受け部６）に導入されるため、振動部５で超音波振動を受ける毛髪Ｈがその幅方向外側に広がることを防止できる。
【００３３】
（６）挟み部材３に第１ガイド溝３２を凹設し、挟み部材２，３を閉じると第１ガイド部３１が第１ガイド溝３２に嵌合するようにしたため、第１ガイド部３１により、毛髪の長さ方向と直交する断面において、振動部側押さえ部９と受け部側押さえ部１２との間に閉じた空間が形成される。従って、振動部側押さえ部９と受け部側押さえ部１２とに挟まれた毛髪Ｈが上記空間からはみ出すことが確実に防止され、処理が施されない毛髪Ｈをより低減することができる。
【００３４】
なお、本実施形態は、以下の態様で実施してもよい。
・上記実施形態では、受け部６及び受け部側押さえ部１２を、挟み部材３の挟み部材２との対向面よりも突出して設けたが、これに限らず、図６に示すように、挟み部材３の挟み部材２との対向面と面一になるように、受け部６及び受け部側押さえ部１２を挟み部材３に埋設してもよい。
【００３５】
・上記実施形態では、ホーン部８の両側に設けられた第１ガイド部３１を、それぞれホーン部８側での間隔が挟み部材２における毛髪の長さ方向端部側での間隔よりも狭くなるように配置したが、これに限らない。例えば、図７に示すように、ヘアセット装置１の移動方向側に設けられた毛髪の挟み方向に突出する第１ガイド部４１のみをホーン部８側での間隔が挟み部材２における毛髪の長さ方向端部側での間隔よりも狭くなるように配置し、ヘアセット装置１の移動方向と反対側に設けられた第１ガイド部４１を毛髪の長さ方向と平行に配置してもよい。
【００３６】
また、図８に示すように、ホーン部８の両側に設けられた第１ガイド部４２を毛髪の長さ方向と平行に配置してもよい。さらに、ヘアセット装置１の移動方向側のみに第１ガイド部を設けてもよい。このように構成しても、第１ガイド部４２によって、振動部側押さえ部９及び受け部側押さえ部１２との間に挟まれた毛髪Ｈが、その幅方向外側にはみ出ることが防止されるため、振動部５（受け部６）への確実な毛髪導入が可能になり、処理が施されない毛髪Ｈを低減することができる。なお、第１ガイド部４１，４２は、第１ガイド部３１と同様に形成されている。
【００３７】
・上記実施形態において、ヘアセット装置１の移動方向側に設けられたコーム部１１における毛髪の長さ方向外側に、毛髪の幅方向に間隔を空けて配置される第２ガイド部５１を毛髪の挟み方向に突出して形成してもよい。例えば、図９に示すように、第２ガイド部５１を毛髪の長さ方向と平行に設けてもよい。なお、第２ガイド部５１は、直方体状に形成されるとともに、コーム部１１よりも挟み部材２から突出して形成されている。このようにすることで、毛髪Ｈが第２ガイド部５１によってコーム部１１に案内されるため、確実にコーム部１１にて毛髪Ｈが梳かれる。そして、コーム部１１から振動部５に導入されることで、毛髪の処理ムラを低減することができる。
【００３８】
また、図１０に示すように、挟み部材３に、挟み部材２，３が閉じた状態で第２ガイド部５１が嵌合する第２ガイド溝５２を形成してもよい。このように構成することで、第２ガイド部５１により、毛髪の長さ方向と直交する断面において、挟み部材２，３の間に閉じた空間が形成される。従って、挟み部材２，３に挟まれた毛髪Ｈが上記空間からはみ出すことが防止され、確実にコーム部１１に案内されることで、毛髪の処理ムラをより低減することができる。
【００３９】
さらに、図１１に示すように、毛髪の挟み方向に突出する第２ガイド部５３を、コーム部１１側での間隔が挟み部材２における毛髪の長さ方向端部側での間隔よりも狭くなるように配置してもよい。なお、第２ガイド部５３は、第２ガイド部５１と同様に形成されている。このようにすることで、処理されない毛髪Ｈを低減することができるとともに、第２ガイド部５３によって一度に多くの毛髪Ｈがコーム部１１に案内されるため、毛髪Ｈの処理効率の向上を図ることができる。なお、第２ガイド部５１，５３を挟み部材２に設けず、挟み部材３に設けてもよい。また、ヘアセット装置１に第１ガイド部及び第２ガイド部の両ガイド部を設けてもよい。
【００４０】
・上記実施形態では、受け部６と受け部側押さえ部１２とを別体としたが、これに限らず、受け部６と受け部側押さえ部１２とを一体に形成してもよい。このようにすることで、部品点数を削減することができる。
【００４１】
・上記実施形態において、振動部５の毛髪の挟み方向の弾性係数と振動部側押さえ部９の毛髪の挟み方向の弾性係数とが同一となるように構成してもよい。このようにすることで、振動部５と受け部６との間に毛髪Ｈを挟んだ場合に、受け部側押さえ部１２の変形量と受け部６の変形量との差がさらに発生し難くなる。そのため、受け部６と受け部側押さえ部１２との間での毛髪の挟み方向の段差をなくすことが可能になり、毛髪Ｈが所望の形状と異なる形状にセットさせることをより低減できる。
【００４２】
・上記実施形態では、振動部側押さえ部９をホーン部８の両側に設けたが、これに限らず、毛髪の長さ方向の何れか一方にのみ設けてもよい。同様に、受け部側押さえ部１２を毛髪の長さ方向の何れか一方にのみ設けてもよい。
【００４３】
・上記実施形態では、コーム部１１を挟み部材２に設けたが、これに限らず、挟み部材３に設けてもよい。また、コーム部１１をヘアセット装置１の移動方向側のみに設けてもよい。さらに、ヘアセット装置１にコーム部１１を設けずともよい。
【００４４】
・上記実施形態では、挟み部材２に第１ガイド部３１を設け、挟み部材３に第１ガイド溝３２を形成したが、これに限らず、挟み部材３に第１ガイド部を設け、挟み部材２にガイド溝を形成してもよい。また、挟み部材２，３に第１ガイド部又は第１ガイド溝を形成しなくともよい。
【００４５】
・上記実施形態では、ヘアセット装置１を、毛髪Ｈをストレートにする処理を施すようにしたが、これに限らず、毛髪Ｈをカーリングさせる等その他の処理を施すヘアセット装置に適用してもよい。
【００４６】
次に、以上の実施形態から把握することのできる技術的思想をその効果とともに記載する。
（イ）前記振動部側押さえ部及び前記受け部側押さえ部の何れか他方における前記毛髪の幅方向両側には、前記挟み部材が閉じた状態で前記第１ガイド部が嵌合する第１ガイド溝が設けられたことを特徴とする請求項４に記載のヘアセット装置。この構成によれば、第１ガイド部により、毛髪の長さ方向と直交する断面において、振動部側押さえ部と受け部側押さえ部との間に閉じた空間が形成される。従って、振動部側押さえ部と受け部側押さえ部とに挟まれた毛髪が上記空間からはみ出すことが防止され、処理が施されない毛髪をより低減することができる。
【００４７】
（ロ）前記挟み部材には、前記振動部側押さえ部及び前記受け部側押さえ部の何れか他方の前記毛髪の長さ方向外側に、前記挟み部材が閉じた状態で前記第２ガイド部が嵌合される第２ガイド溝が形成されたことを特徴とする請求項６に記載のヘアセット装置。この構成によれば、第２ガイド部により、毛髪の長さ方向と直交する断面において、挟み部材の間に閉じた空間が形成される。従って、挟み部材に挟まれた毛髪が上記空間からはみ出すことが防止され、確実にコーム部に案内されることで、毛髪の処理ムラをより低減することができる。
【００４８】
（ハ）前記第２ガイド部は、前記コーム部側での間隔が前記へアセット装置移動方向側での間隔よりも狭くなるように配置されたことを特徴とする請求項６又は上記（ロ）に記載のヘアセット装置。この構成によれば、処理されない毛髪を低減することができるとともに、第２ガイド部によって一度に多くの毛髪Ｈがコーム部に案内されるため、毛髪の処理効率の向上を図ることができる。
【図面の簡単な説明】
【００４９】
【図１】へアセット装置の側面図。
【図２】振動部が設けられた挟み部材を内側から見た平面図。
【図３】受け部が設けられた挟み部材を内側から見た平面図。
【図４】毛髪を挟んだ状態でのヘアセット装置の振動部及び受け部を含む断面図。
【図５】受け部と受け部側押さえ部の構成を示す断面図。
【図６】別例における毛髪を挟んだ状態でのヘアセット装置の振動部及び受け部を含む断面図。
【図７】別例における振動部が設けられた挟み部材を内側から見た平面図。
【図８】別例における振動部が設けられた挟み部材を内側から見た平面図。
【図９】別例における振動部が設けられた挟み部材を内側から見た平面図。
【図１０】別例における受け部が設けられた挟み部材を内側から見た平面図。
【図１１】別例における振動部が設けられた挟み部材を内側から見た平面図。
【符号の説明】
【００５０】
１…ヘアセット装置、２，３…挟み部材、５…振動部、６…受け部、７…振動子、９…振動部側押さえ部、１１…コーム部、１２…受け部側押さえ部、２５，２６…対向面、３１，４１，４２…第１ガイド部、３２…第１ガイド溝、５１，５３…第２ガイド部、５２…第２ガイド溝、Ｈ…毛髪。
【図１】
0004944839.tif 000002
【図２】
0004944839.tif 000003
【図３】
0004944839.tif 000004
【図４】
0004944839.tif 000005
【図５】
0004944839.tif 000006
【図６】
0004944839.tif 000007
【図７】
0004944839.tif 000008
【図８】
0004944839.tif 000009
【図９】
0004944839.tif 000010
【図１０】
0004944839.tif 000011
【図１１】
0004944839.tif 000012